(57)【要約】【課題】長さを異にする複数種の雄端子を有する場合に、隣り合う長寸の雄端子同士が短絡するのを回避することができるコネクタを提供する。【解決手段】ハウジング１０は、ハウジング本体１１と、ハウジング本体１１の前方に突出するフード部１２とを有する。ハウジング本体１１は、各第１雄端子７０が挿入される各第１キャビティ１３と、各第２雄端子８０が挿入される各第２キャビティ１４とを有する。各第２雄端子８０は、各第１雄端子７０の第１タブ７２より長い第２タブ８２を有する。ハウジング本体１１の前面部１７には、各第２キャビティ１４の開口周りの領域を各第１キャビティ１３の開口周りの領域よりも後方に落として凹部２３が設けられている。フード部１２内には、ムービングプレート４０が初期位置から嵌合位置に移動可能に配置される。ムービングプレート４０には、嵌合位置にて、凹部２３に進入し、隣り合って配置された第２タブ８２間を仕切る極間仕切部５２が設けられている。【選択図】図３
2018181786.tif 000002
【特許請求の範囲】
【請求項１】
第１タブを有する第１雄端子と、
前記第１タブより長い第２タブを有する第２雄端子と、
隣り合って配置され、前記第１雄端子を収容可能な複数の第１キャビティと、隣り合って配置され、前記第２雄端子を収容可能な複数の第２キャビティとを有するとともに、各第１キャビティ及び各第２キャビティのそれぞれの前端が開口する前面部を有するハウジング本体と、
前記ハウジング本体から前方に筒状に突出し、前記前面部から前方に突出する前記第１タブ及び前記第２タブを一括して包囲し、且つ、相手ハウジングが嵌合可能なフード部と、
前記フード部内に前記前面部の前方を覆うように配置されるプレート本体を有し、前記プレート本体に、第１タブ及び前記第２タブがそれぞれ挿通される第１孔及び第２孔が複数設けられ、前記相手ハウジングにより押圧されて、初期位置から嵌合位置へと前記前面部に近づく向きに移動するムービングプレートと、を備え、
前記ハウジング本体の前面部には、前記各第２キャビティの開口周りの領域を前記各第１キャビティの開口周りの領域よりも後方に落としてなる凹部が設けられ、
前記ムービングプレートには、前記嵌合位置にて、前記凹部に進入し、隣り合って配置された前記第２タブ間を仕切る極間仕切部が設けられていることを特徴とするコネクタ。
【請求項２】
前記プレート本体の後面には、前記極間仕切部を含みつつ前記第２孔の開口周辺部を囲む筒部が突出して設けられている請求項１記載のコネクタ。
【請求項３】
前記筒部は、前記プレート本体の後面において、隣り合って配置される前記第２孔の開口周辺部を連続包囲する連続筒状の形態とされている請求項２記載のコネクタ。
【請求項４】
前記筒部の内面とそれに連続する前記第２孔の内面とを構成する４面のうち、相対向する２面には、前後方向の途中位置から前記筒部の後端へ向けて拡開する先行誘い込み部が設けられ、他の相対向する２面には、前記第２孔の前端から前後方向の途中位置へ向けて拡開する後行誘い込み部が設けられている請求項２又は３記載のコネクタ。
【請求項５】
前記ハウジング本体には、前記各第２キャビティ内に突出して前記第２雄端子を抜け止め状態に係止する第２ランスが設けられ、前記プレート本体には、前記第２雄端子に対する前記第２ランスの係止を解除する治具を通すための第２治具挿通孔が設けられ、前記筒部の外面には、前記第２治具挿通孔に連通する切り欠き部が設けられている請求項２ないし４のいずれか１項記載のコネクタ。
【発明の詳細な説明】
【技術分野】
【０００１】
本発明は、コネクタに関する。
【背景技術】
【０００２】
特許文献１に開示のコネクタは、ブロック状の端子収容部と、端子収容部の前方に突出する筒状のフード部と、フード部内に配置され、初期位置から完了位置へと相手側の雌ハウジングに押圧されて移動するムービングプレートとを備えている。端子収容部とフード部とは一体の雄ハウジングを構成している。雄ハウジングは、雄端子を収容可能な複数のキャビティを有する端子収容部を有している。フード部内には、雄端子のタブ状接続部が突出して配置されている。ムービングプレートは、端子収容部の前方を覆うプレート本体を有し、プレート本体には、タブ状接続部（以下、タブと呼称）が位置決めして挿通される位置決め孔が貫通して設けられている。ムービングプレートが完了位置に向かうに従い、タブが位置決め孔から前方に大きく突出して相手側の雌端子と接続されるようになっている。タブは、ムービングプレートで位置決めされることにより、フード部内にて所定の姿勢を維持することが可能となっている。
【先行技術文献】
【特許文献】
【０００３】
【特許文献１】特開２０１６−１１５４６１号公報
【発明の概要】
【発明が解決しようとする課題】
【０００４】
ところで、仮に、雄端子のタブ長に長短がある場合に、各タブの先端位置の位置ずれを少なくしようとすると、端子収容部の前面に凹みを形成して、凹みの奥面から長寸のタブが突出するようにすることが求められる。しかし、端子収容部の前面に凹みを形成すると、ムービングプレートが完了位置に至り、プレート本体が端子収容部の前面に当接可能に対面したときに、プレート本体と凹みの奥面との間に隙間ができるという事情がある。このため、凹み内に隣接して露出する長寸の雄端子同士が隙間を介して短絡するおそれがある。
【０００５】
上記特許文献１の場合、極間遮断部が端子収容部の前面に設けられた嵌合凹部に嵌合するようになっているが、極間遮断部は相手側の雌ハウジングに設けられ、嵌合凹部は奥面からタブが突出するものではないため、これを適用しても、隣り合う長寸の雄端子同士が短絡するのを回避することができない。
【０００６】
本発明は上記のような事情に基づいて完成されたものであって、長さを異にする複数種の雄端子を有する場合に、隣り合う長寸の雄端子同士が短絡するのを回避することができるコネクタを提供することを目的とする。
【課題を解決するための手段】
【０００７】
本発明のコネクタは、第１タブを有する第１雄端子と、前記第１タブより長い第２タブを有する第２雄端子と、隣り合って配置され、前記第１雄端子を収容可能な複数の第１キャビティと、隣り合って配置され、前記第２雄端子を収容可能な複数の第２キャビティとを有するとともに、各第１キャビティ及び各第２キャビティのそれぞれの前端が開口する前面部を有するハウジング本体と、前記ハウジング本体から前方に筒状に突出し、前記前面部から前方に突出する前記第１タブ及び前記第２タブを一括して包囲し、且つ、相手ハウジングが嵌合可能なフード部と、前記フード部内に前記前面部の前方を覆うように配置されるプレート本体を有し、前記プレート本体に、第１タブ及び前記第２タブがそれぞれ挿通される第１孔及び第２孔が複数設けられ、前記相手ハウジングにより押圧されて、初期位置から嵌合位置へと前記前面部に近づく向きに移動するムービングプレートと、を備え、前記ハウジング本体の前面部には、前記各第２キャビティの開口周りの領域を前記各第１キャビティの開口周りの領域よりも後方に落としてなる凹部が設けられ、前記ムービングプレートには、前記嵌合位置にて、前記凹部に進入し、隣り合って配置された前記第２タブ間を仕切る極間仕切部が設けられているところに特徴を有する。
【発明の効果】
【０００８】
ハウジング本体の前面部に各第２キャビティの開口周りの領域を各第１キャビティの開口周りの領域よりも後方に落として凹部が設けられているため、凹部に隣り合って突出する第２タブ同士が短絡するおそれがあるものの、本発明の場合、ムービングプレートの極間仕切部が嵌合位置で凹部に進入して隣り合って配置される第２タブ間を仕切るため、第２タブ同士が短絡するのを回避することができる。
【図面の簡単な説明】
【０００９】
【図１】本発明の実施例１に係るコネクタにおいて、ムービングプレートがフード部内にて初期位置に配置された状態を示す側面視方向の断面図である。
【図２】ムービングプレートが嵌合位置に移動した状態を示す側面視方向の断面図である。
【図３】ムービングプレートが嵌合位置に移動した状態を示す平面視方向の断面図である。
【図４】コネクタの側面図である。
【図５】ハウジングの側面視方向の断面図である。
【図６】ハウジングの正面図である。
【図７】ムービングプレートの斜視図である。
【図８】ムービングプレートの正面図である。
【図９】電線に接続された第２雄端子の側面図である。
【図１０】電線に接続された第１雄端子の側面図である。
【発明を実施するための形態】
【００１０】
本発明の好ましい形態を以下に示す。  
前記プレート本体の後面には、前記極間仕切部を含みつつ前記第２孔の開口周辺部を囲む筒部が突出して設けられているとよい。これによれば、極間仕切部が筒部で補強されて折損、破損などされるのを防止することができる。また、第２孔の内面と筒部の内面とが連続することで、第２タブの挿通領域が長くなり、位置決めの信頼性を高めることができる。
【００１１】
前記筒部は、前記プレート本体の後面において、隣り合って配置される前記第２孔の開口周辺部を連続包囲する連続筒状の形態とされているとよい。これによれば、極間仕切部を連続筒状の筒部でより強固に補強することができる。
【００１２】
前記筒部の内面とそれに連続する前記第２孔の内面とを構成する４面のうち、相対向する２面には、前後方向の途中位置から前記筒部の後端へ向けて拡開する先行誘い込み部が設けられ、他の相対向する２面には、前記第２孔の前端から前後方向の途中位置へ向けて拡開する後行誘い込み部が設けられているとよい。これによれば、第２孔に第２タブを挿通させるに際し、筒部の内面を活用して、先行誘い込み部及び後行誘い込み部からなる２段階の誘い込み構造を実現することができる。その結果、第２タブが第２孔への挿通時に受ける衝撃力（応力）を分散して緩和することができる。
【００１３】
前記ハウジング本体には、前記各第２キャビティ内に突出して前記第２雄端子を抜け止め状態に係止する第２ランスが設けられ、前記プレート本体には、前記第２雄端子に対する前記第２ランスの係止を解除する治具を通すための第２治具挿通孔が設けられ、前記筒部の外面には、前記第２治具挿通孔に連通する切り欠き部が設けられているとよい。これによれば、治具が切り欠き部を介して筒部に当接支持可能となるため、ランスの係止解除時に必要な強度を確保することができる。
【００１４】
＜実施例１＞
以下、本発明の実施例１に係るコネクタを、図１〜図１０によって説明する。実施例１に係るコネクタは、ハウジング１０と、ムービングプレート４０と、レバー６０と、第１雄端子７０と、第２雄端子８０とを備えている。ハウジング１０は、相手ハウジング９０と嵌合可能とされている。なお、以下の説明中、前後方向は、ハウジング１０が嵌合開始時に相手ハウジング９０と向き合う面側を前側とし、上下方向は、図１及び図２を基準とする。
【００１５】
相手ハウジング９０は合成樹脂製であって、全体としてブロック状をなし、図２及び図３に示すように、内部に小型及び大型の雌端子９１、９４が収容されている。相手ハウジング９０の左右両側面には、一対のカムフォロア９２が突出して設けられている。雌端子９１、９４は電線Ｗ３、Ｗ４の端末部に接続されている。
【００１６】
第１雄端子７０は導電性の金属板を曲げ加工などして一体に成形され、図１０に示すように、全体として前後方向に細長い形状になっている。第１雄端子７０は、筒状の第１端子本体７１と、第１端子本体７１から前方に突出する第１タブ７２と、第１端子本体７１の後方に連なる第１バレル部７３とを有している。第１バレル部７３は、電線Ｗ１の端末部において被覆の除去により露出する芯線に圧着して接続される第１ワイヤバレル部７４と、第１ワイヤバレル部７４の後方に配置され、電線Ｗ１の端末部における被覆に圧着される第１インシュレーションバレル部７５とからなる。第１端子本体７１の周壁には、第１ランス受部７６が開口して設けられている。
【００１７】
第２雄端子８０は同じく導電性の金属板を曲げ加工などして一体に成形され、図９に示すように、全体として前後方向に細長い形状になっている。第２雄端子８０は、第１雄端子７０よりも一周り大きくされ、第１雄端子７０の前後長より長い前後長で構成されている。具体的には、第２雄端子８０は、第１雄端子７０と同様の形態であって、第２端子本体８１、第２タブ８２及び第２バレル部８３を有している。第２バレル部８３は、電線Ｗ２の端末部において被覆の除去により露出する芯線に圧着して接続される第２ワイヤバレル部８４と、第２ワイヤバレル部８４の後方に配置され、電線Ｗ２の端末部における被覆に外嵌されたゴム栓８８に圧着される第２インシュレーションバレル部８５とからなる。第２端子本体８１の周壁には、第２ランス受部８６が開口して設けられている（図１を参照）。
【００１８】
ハウジング１０は合成樹脂製であって、図５及び図６に示すように、略角ブロック状のハウジング本体１１と、ハウジング本体１１の前端外周部から前方に一体に突出する略角筒状のフード部１２とを有している。フード部１２内には、相手ハウジング９０が嵌合され、且つ、ムービングプレート４０が移動可能に配置される。
【００１９】
ハウジング本体１１は、上下両端部及び左右中央上部を除く領域において上下方向及び左右方向に整列して配置される複数の第１キャビティ１３を有しているとともに、上下両端部（左右中央上部を除く）において左右方向に整列して配置される複数の第２キャビティ１４を有している。
【００２０】
各第１キャビティ１３は、前後方向に延出してハウジング本体１１の前面部１７及び後面部１８に開口する形態とされている。ハウジング本体１１の前面部１７における各第１キャビティ１３の開口には、各第１タブ７２の突出基端部が配置される。
【００２１】
各第１キャビティ１３の内壁面には、撓み可能な第１ランス１５が前方に突出して設けられている。各第１キャビティ１３には、第１雄端子７０が後方から挿入される。第１雄端子７０は、第１ランス受部７６に第１ランス１５が嵌合係止されることで、第１キャビティ１３に抜け止め状態に保持される。
【００２２】
ハウジング本体１１の前面部１７には、各第１キャビティ１３の前端が断面方形に開口し、且つ各第１キャビティ１３の下方に、各第１ランス１５の前方を開放する第１開放部１６が設けられている。第１開放部１６は、左右方向（幅方向）で隣り合う各第１ランス１５間にも連通し、全体として左右方向に長く開口する形態とされている。
【００２３】
図５に示すように、ハウジング本体１１の後面部１８における各第１キャビティ１３の開口領域は、上下両端部よりも一段前方へ凹んだ凹面１９になっている。凹面１９には、図示しない一括ゴム栓が密着し、第１雄端子７０に接続された電線Ｗ１の周囲が一括ゴム栓によって防水される。
【００２４】
各第２キャビティ１４は、各第１キャビティ１３と同様、前後方向に延出してハウジング本体１１の前面部１７及び後面部１８に開口する形態とされ、内壁面に、撓み可能な第２ランス２１が前方に突出して設けられている。ハウジング本体１１の前面部１７における各第２キャビティ１４の開口には、各第２タブ８２の突出基端部が配置される。
【００２５】
各第２キャビティ１４には、第２雄端子８０が後方から挿入される。第２雄端子８０は、第２ランス受部８６に嵌合係止されることで、第２キャビティ１４に抜け止め状態に保持される。
【００２６】
図５に示すように、各第２キャビティ１４は、各第１キャビティ１３よりも全体として径方向に大きく且つ前後長が長くされている。各第２キャビティ１４の後部は、前部よりも上下方向に大きく開口し、第２雄端子８０に嵌着されたゴム栓８８が液密に挿入されるシール部２２とされている（図２を参照）。第２ランス２１は、シール部２２から前方に突出する形態とされ、全体として第１ランス１５よりも大型になっている。
【００２７】
ハウジング本体１１の後面部１８における各第２キャビティ１４の開口領域は、上下両端部において、凹面１９（各第１キャビティ１３の開口領域）よりも後方に突出して配置される。
【００２８】
一方、ハウジング本体１１の前面部１７における各第２キャビティ１４の開口領域は、上下両端部において、各第１キャビティ１３の開口領域よりも一段後方へ凹んだ位置に配置されている。図５に示すように、ハウジング本体１１の前面部１７の上下両端部は、各第１キャビティ１３の開口領域よりも後方へ落としてなる凹部２３として構成される。図６に示すように、凹部２３は、左右方向で隣り合う各第２キャビティ１４間の領域にも連通し、全体として左右方向に長く開口する形態とされている。各第２キャビティ１４間を左右方向で仕切る仕切壁３１（図３を参照）は、凹部２３には設けられていない。ハウジング本体１１の前面部１７に凹部２３が設けられることにより、図１及び図２に示すように、各第２タブ８２の突出基端部が各第１タブ７２の突出基端部よりも後方となり、各第２タブ８２と各第１タブ７２のそれぞれの突出先端部が前後方向に関して大きく位置ずれしないようにされている。
【００２９】
凹部２３の奥面（ハウジング本体１１の前端部の上下両端部）には、図６に示すように、各第２キャビティ１４の前端が断面横長方形に開口し、且つ、図５に示すように、各第２キャビティ１４の開口縁部に、外側へ向けて後傾する斜面部２４が設けられている。
【００３０】
また、ハウジング本体１１の前面部１７には、各第２ランス２１の前方を開放する第２開放部２５が設けられている。図６に示すように、第２開放部２５は、左右方向（幅方向）で隣り合う各第２ランス２１間にも連通し、全体として左右方向に長く開口する形態とされている。各斜面部２４の一辺部には、第２開放部２５の一部を切り欠くようにして連通部２６が設けられ、各連通部２６を通して各第２ランス２１の係止突起２７を前方から視認可能とされている。
【００３１】
図６に示すように、ハウジング１０の左右両側外面には、一対の支軸２８が突出して設けられている。各支軸２８には、レバー６０が回転可能に支持される。フード部１２の左右両側壁における各支軸２８の前方には、前後方向に延出してフード部１２の前端に開口する一対の導入溝２９が設けられている。各導入溝２９には、相手ハウジング９０の各カムフォロア９２が進入して案内される。
【００３２】
レバー６０は合成樹脂製であって、全体として門型板状をなし、図４に示すように、左右方向に沿った操作部６１と、操作部６１の左右両端部から突出する一対のカム部６２（図４では一方のみ図示）とからなる。各カム部６２は、各支軸２８を受ける軸受部分を有し、且つ所定方向に延出して外周縁に開口するカム溝６３を有している。レバー６０は、ハウジング１０に跨るようにして装着され、各支軸２８を中心として回動可能とされている。
【００３３】
ムービングプレート４０は合成樹脂製であって、図７に示すように、全体として前方に開口するキャップ状をなし、上下方向に沿った平板状のプレート本体４１と、プレート本体４１の外周部から前方へ一体に突出する略角筒状の周壁部４２とを有している。
【００３４】
プレート本体４１は、フード部１２内にてハウジング本体１１の前面部１７を覆うように配置され、各第１キャビティ１３と対応する位置に、複数の第１孔４３を有しているとともに、各第２キャビティ１４と対応する位置に、複数の第２孔４４を有している。各第１孔４３は、各第１タブ７２と対応する断面方形をなし、内部に各第１タブ７２が位置決め状態で挿通される。各第２孔４４は、各第２タブ８２と対応する断面横長方形をなし、内部に各第２タブ８２が位置決め状態で挿通される。
【００３５】
周壁部４２の左右両側壁には、前後方向に延出して前端に開口する一対の進入溝４５が設けられているとともに、各進入溝４５の後方開口部分を跨ぐようにして断面円形で門型の一対のピン受部４６が設けられている。
【００３６】
ムービングプレート４０は、フード部１２内に挿入され、プレート本体４１が前面部１７の前方に離れて位置する初期位置（図１を参照）から前面部１７に近接してほぼ当接する嵌合位置（図２及び図３を参照）へと移動可能とされている。ムービングプレート４０が初期位置に配置され、レバー６０のカム溝６３の入り口が前方を向いた状態において、各ピン受部４６が各導入溝２９を介して各カム溝６３の入り口に挿入される。その状態で、相手ハウジング９０がフード部１２内に浅く嵌合されると、各カムフォロア９２が進入溝４５を介して各ピン受部４６に嵌合挿入される。レバー６０が回動されると、各ピン受部４６が各カムフォロア９２に押圧されて各カム溝６３の溝面を摺動し、レバー６０と相手ハウジング９０との間にカム作用が発揮され、両ハウジング１０、９０の嵌合動作が進行するようになっている。
【００３７】
図１に示すように、ムービングプレート４０が初期位置にあるときに、各第１タブ７２の突出先端部が各第１孔４３に位置決め挿入されるとともに、各第２タブ８２の突出先端部が各第２孔４４に位置決め挿入される。ムービングプレート４０が嵌合位置に向かうに従い、各第１タブ７２及び各第２タブ８２が各第１孔４３及び各第２孔４４から前方に大きく突出し、図２及び図３に示すように、相手ハウジング９０に収容された対応する雌端子９１、９４に接続されるようになっている。この場合に、各第１タブ７２及び各第２タブ８２は、フード部１２内にてムービングプレート４０によって保護され、その直進姿勢を維持することが可能とされている。
【００３８】
図１及び図８に示すように、各第１孔４３の内面には、プレート本体４１の前後方向（厚み方向）途中からプレート本体４１の後面にかけてテーパ状に拡開する誘い込み部４７が設けられている。また、プレート本体４１には、各第１孔４３の下方に、複数の第１治具挿通孔４８が設けられている。
【００３９】
さて、プレート本体４１の後面の上下両端部には、各第２孔４４の開口周辺部から後方へ突出する筒部４９が設けられている。図８に示すように、筒部４９は、プレート本体４１の後面において左右方向で隣り合う各第２孔４４の開口外周部を一括して包囲する横長略角筒状の包囲部５１と、左右方向で隣り合う各第２孔４４間に配置される複数の極間仕切部５２とを有し、全体として左右方向に長い連続筒状の形態とされている。極間仕切部５２は、上下方向に沿った縦壁状（縦板状）をなし、上下両端が包囲部５１に一体に連結されている。筒部４９の内面は、各第２孔４４毎に断面横長方形をなし、図１及び図３に示すように、各第２孔４４の内面に同軸で連なっている。
【００４０】
図３に示すように、各第２孔４４の内面の左右両側には、プレート本体４１の前後方向（厚み方向）途中からプレート本体４１の後面にかけてテーパ状に拡開する後行誘い込み部５３が設けられている。各第２孔４４の内面の上下両側は、前後方向に沿って略水平に配置され、拡開形状にはなっていない。
【００４１】
一方、筒部４９の内面の上下両側には、図１に示すように、筒部４９の前後方向途中から筒部４９の後面にかけてテーパ状に拡開する先行誘い込み部５４が設けられている。第２孔４４の内面の上下両側から筒部４９の前後方向途中にわたる範囲は、段差なく略水平に配置されている。また、図３に示すように、筒部４９の内面の左右両側は、後端側の面取り部分を除いて、前後方向に沿って略水平に配置され、拡開形状にはなっていない。筒部４９の内面の左右両側間の離間距離は、第２タブ８２の左右寸法よりも大きくされている。
【００４２】
また、プレート本体４１には、各第２孔４４の下方に、複数の第２治具挿通孔５６が設けられている。各第２治具挿通孔５６は、図１に示すように、各第２ランス２１と対応する位置に配置され、図８に示すように、各第１治具挿通孔４８と同様、断面方形の開口形状を呈している。筒部４９の上下中央側を向く外面には、各第２治具挿通孔５６と対応する位置に、複数の断面有底凹状の切り欠き部５５が開口して設けられている。各切り欠き部５５は、各第２治具挿通孔５６と前後方向に同軸で連通し、各切り欠き部５５の内面は、各第２治具挿通孔５６の内面と段差なく略水平に連なる形態になっている。
【００４３】
各第２治具挿通孔５６には前方から図示しない治具が挿入され、治具が第２治具挿通孔５６から第２開放部２５を介して第２ランス２１と当接して解除操作されることにより、第２雄端子８０に対する第２ランス２１の係止が解除され、第２雄端子８０が第２キャビティ１４から後方に取り出し可能となっている。各第１治具挿通孔４８にも治具が挿通され、この治具が第１ランス１５の係止を解除する動作は上記と同様である。もっとも、上記の場合、各第２治具挿通孔５６に各切り欠き部５５が連通しているため、筒部４９の各切り欠き部５５の凹面に治具を当接させてこじるなどすることができ、治具のこじり動作などに耐え得る十分な強度をもたせることができる。
【００４４】
次に、本実施例１の作用効果を説明する。
組み付けに際し、ハウジング本体１１の各第１キャビティ１３に後方から各第１雄端子７０が挿入されて収容され、ハウジング本体１１の各第２キャビティ１４に後方から各第２雄端子８０が挿入されて収容される。これにより、各第１タブ７２は、前面部１７の各第１キャビティ１３の開口からフード部１２内に突出して配置されるとともに、各第２タブ８２は、前面部１７の各第２キャビティ１４の開口からフード部１２内に突出して配置される。
【００４５】
図１に示すように、ムービングプレート４０がフード部１２内にて初期位置に保持されると、各第１タブ７２の突出先端部がプレート本体４１の各第１孔４３に位置決め挿入されるとともに、各第２タブ８２の突出先端部がプレート本体４１の各筒部４９内を通して各第２孔４４に位置決め挿入される。このとき、各第２タブ８２の突出先端部は、各筒部４９の先行誘い込み部５４によって厚み方向となる上下方向に挿入案内された後、各第２孔４４の後行誘い込み部５３によって幅方向となる左右方向に挿入案内される。つまり、各第２タブ８２は、対応する第２孔４４に対して異なる方向から段階的に誘い込まれる。
【００４６】
続いて、フード部１２内に相手ハウジング９０が浅く嵌合される。その状態で、レバー６０が回動されると、相手ハウジング９０がフード部１２内に深く嵌合され行く。また、ムービングプレート４０が各カムフォロア９２に押圧されて相手ハウジング９０とともに嵌合位置へ向けて後退移動する。ムービングプレート４０が嵌合位置に至ると、プレート本体４１がハウジング本体１１の前面部１７に対面してほぼ当接して配置される。このとき、相手ハウジング９０はプレート本体４１を介して前面部１７に対面し、両ハウジング１０、９０が正規状態に保持され、図２及び図３に示すように、小型の各雌端子９１と各第１雄端子７０、及び大型の各雌端子９４と各第２雄端子８０がそれぞれ正規状態に電気的に接続される。
【００４７】
また、ムービングプレート４０が嵌合位置に至ると、筒部４９が前面部１７の凹部２３に嵌合状態で挿入される。このとき、筒部４９の先行誘い込み部５４が前面部１７の斜面部２４に沿って当接可能に配置される。また、図３に示すように、筒部４９の各極間仕切部５２が、左右方向で隣り合う各第２タブ８２の突出基端部間に配置され、各第２キャビティ１４間の仕切壁３１に前後方向にほぼ同軸で連なる。このとき、各極間仕切部５２の先端部は、斜面部２４に沿って当接可能に配置される。
【００４８】
本実施例１の場合、第２タブ８２が第１タブ７２よりも長寸とされ、ハウジング本体１１の前面部１７に各第２キャビティ１４の開口周りの領域を各第１キャビティ１３の開口周りの領域よりも後方に落として凹部２３が設けられていることから、凹部２３に隣り合って突出する第２タブ８２同士が短絡するおそれがあるものの、ムービングプレート４０の極間仕切部５２が嵌合位置で凹部２３に進入して隣り合って配置される第２タブ８２間を仕切るため、第２タブ８２同士が短絡するのを回避することができる。
【００４９】
また、プレート本体４１の後面に、極間仕切部５２を含みつつ第２孔４４の開口周辺部を囲む筒部４９が突出して設けられているため、極間仕切部５２が筒部４９で補強されて折損、破損などされるのを防止することができる。しかも、第２孔４４の内面と筒部４９の内面とが連続することで、第２タブ８２の挿通領域が長くなり、位置決めの信頼性を高めることができる。
【００５０】
また、筒部４９がプレート本体４１の後面において隣り合って配置される第２孔４４の開口周辺部を連続包囲する連続筒状の形態とされているため、極間仕切部５２がより強固に補強される。
【００５１】
さらに、筒部４９の内面とそれに連続する第２孔４４の内面とを構成する４面のうち、上下方向で相対向する２面には、前後方向の途中位置から筒部４９の後端へ向けて拡開する先行誘い込み部５４が設けられ、左右方向で対向する他の相対向する２面には、第２孔４４の前端から前後方向の途中位置へ向けて拡開する後行誘い込み部５３が設けられているため、第２孔４４に第２タブ８２を挿通させるに際し、先行誘い込み部５４及び後行誘い込み部５３からなる２段階の誘い込み構造を実現することができる。その結果、第２タブ８２が第２孔４４への挿通時に受ける衝撃力（応力）を分散して緩和することができ、比較的長寸の第２タブ８２が折損、破損などされるのを防止することができる。
【００５２】
さらにまた、プレート本体４１に、第２雄端子８０に対する第２ランス２１の係止を解除する治具を通すための第２治具挿通孔５６が設けられ、筒部４９の外面に、第２治具挿通孔５６に連通する切り欠き部５５が設けられているため、治具が切り欠き部５５を介して筒部４９に当接支持可能となり、ランスの係止解除時に必要な強度を確保することができる。
【００５３】
＜他の実施例＞
本発明の他の実施例を簡単に説明する。
（１）極間仕切部は、ムービングプレートの周壁から突出して隣り合う第２雄端子間を仕切る形態でってもよい。
（２）筒部は、連続筒状ではなく、各第２孔の開口周辺部に個別に対応して並置されるものであってもよい。
（３）極間仕切部は、筒部の一部としてではなく、ムービングプレートの前壁部又は周壁部から独立して突出する形態であってもよい。
（４）ムービングプレートは、必ずしもレバーの回動動作と連動していなくてもよい。
（５）先行誘い込み部が筒部の内面の左右両側に設けられ、後行誘い込み部が第２孔の内面の上下両側に設けられていてもよい。
（６）複数の第２キャビティが並ぶ方向は上下方向であってもよい。この場合、各第２キャビティに収容された各第２雄端子は、上下方向に隣り合って配置されることになる。
（７）本発明は、レバーを備えないコネクタや非防水型のコネクタにも適用可能である。
【符号の説明】
【００５４】
１０…ハウジング
１１…ハウジング本体
１２…フード部
１３…第１キャビティ
１４…第２キャビティ
１５…第１ランス
１７…前面部
２１…第２ランス
２３…凹部
４０…ムービングプレート
４１…プレート本体
４３…第１孔
４４…第２孔
４９…筒部
５２…極間仕切部
５３…後行誘い込み部
５４…先行誘い込み部
５５…切り欠き部
５６…第２治具挿通孔
７０…第１雄端子
７２…第１タブ
８０…第２雄端子
８２…第２タブ
９０…相手ハウジング
【図１】
2018181786.tif 000003
【図２】
2018181786.tif 000004
【図３】
2018181786.tif 000005
【図４】
2018181786.tif 000006
【図５】
2018181786.tif 000007
【図６】
2018181786.tif 000008
【図７】
2018181786.tif 000009
【図８】
2018181786.tif 000010
【図９】
2018181786.tif 000011
【図１０】
2018181786.tif 000012